(57)【要約】      （修正有）【課題】ランドセルの収容室に電子機器を収納する丈夫で簡便な機器収納部を設けたランドセルを提供する。【解決手段】教科書、ノートなどの各種教材を収容する主収容室３と副収容室７と前ポケット部１１を有するランドセル本体２と、ランドセル本体２の上部を開閉可能に覆う蓋板１３とからなるランドセル１において、副収容室７の間仕切壁部８側に、電子機器を圧着保持する圧着板２５と、収納した電子機器を圧着板２５により圧着保持させる伸縮可能な伸縮ベルト２７と、機器収納部２０の開口部２４を開閉可能に覆う蓋布地３０とからなる機器収納部２０を設ける。【選択図】図１
0003230755.tif 000002
【実用新案登録請求の範囲】
【請求項１】
教科書、ノートなどの各種教材を収容する主収容室（３）と副収容室（７）と前ポケット部（１１）を有するランドセル本体（２）と、該ランドセル本体の上部を開閉可能に覆う蓋板（１３）とからなるランドセル（１）において、前記主収容室（３）または副収容室（７、７ａ、７ｂ）に電子機器（Ｘ）を出し入れ可能に圧着保持する機器収納部（２０）を設けてなることを特徴とするランドセル。
【請求項２】
前記ランドセル１は、主収容室（３）内の背板（４）側に電子機器（Ｘ）を出し入れ可能に圧着保持する機器収納部（２０）を設けてなることを特徴とする請求項１記載のランドセル。
【請求項３】
前記ランドセル（１）は、副収容室（７、７ａ、７ｂ）内の間仕切壁部（８）側に電子機器（Ｘ）を出し入れ可能に圧着保持する機器収納部（２０）を設けてなることを特徴とする請求項１記載のランドセル。
【請求項４】
前記副収容室（７ａ、７ｂ）は、収納物の量によりマチ幅を伸縮させる拡幅機能（Ｓａ、Ｓｂ）を有してなり、副収容室（７ａ）に設けた拡幅機構（Ｓａ）は、つづら折に形成した少なくとも１以上の折目からなる伸縮可能なマチ部（４１）を設け、該副収容室の間仕切壁部（８）側に電子機器（Ｘ）を出し入れ可能に圧着保持する機器収納部（２０）を設けてなることを特徴とする請求項１または３記載のランドセル。
【請求項５】
前記副収容室（７ｂ）に設けた拡幅機構（Ｓｂ）は、伸縮可能なひだ部を有した内側マチ部（５１）の外側で主収容室（３）側と前ポケット部（１１）側にそれぞれ一端を取付けた外側マチ部（５２ａ、５２ｂ）の他端に互いに分離連結可能なスライドファスナー（５５ａ、５５ｂ）をそれぞれ取付け、該スライドファスナー（５５ａ、５５ｂ）を連結分離させることにより、マチ幅を拡幅可能にしてなり、この副収容室（７ｂ）の間仕切壁部（８）側に電子機器（Ｘ）を出し入れ可能に圧着保持する機器収納部（２０）を取付けてなることを特徴とする請求項１または３記載のランドセル。
【請求項６】
前記機器収納部（２０）は、収納した電子機器（Ｘ）を圧着保持する圧着板（２５）と、収納した電子機器（Ｘ）を圧着板（２５）により圧着保持させる伸縮可能な伸縮ベルト（２７）と、前記機器収納部（２０）の開口部（２４）を開閉可能に覆う蓋布地（３０）とからなることを特徴とする請求項１ないし５のいずれか１記載のランドセル。
【請求項７】
前記圧着板（２５）は、間仕切壁部（８）の上下左右幅より小さく方形に形成し、該圧着板の下端を前記副収容室（７、７ａ、７ｂ）の内底部から離して位置し、この圧着板（２５）の左右両端と上下の４点を伸縮ベルト（２７）の一端で取付けて支持し、他端を副収容室（７、７ａ、７ｂ）と間仕切壁部（８）の接合部分に縫着固定して前記圧着板（２５）を中空状態に支持することにより、前記圧着板（２５）を伸縮ベルト（２７）の弾発力で間仕切壁部（８）側に圧着可能にしてなることを特徴とする請求項６記載のランドセル。
【請求項８】
前記蓋布地（３０）は、前記圧着板（２５）の横幅（開口部幅）の約三分の二の幅に形成し、一辺を機器収納部（２０）の開口部（２４）付近の間仕切壁部（８）に取付け、他辺は開口部（２４）を覆って圧着板（２５）の前側壁面に設けた接着部（３５）に着脱可能に取付けてなることを特徴とする請求項６記載のランドセル。
【請求項９】
前記接着部（３５）は、雌雄一対型の面ファスナからなり、一方（３５ｂ）を圧着板（２５）の前側壁面の幅方向に取付け、他方（３５ａ）を蓋布地（３０）の裏側先端幅方向に取付けて互いに着脱可能に形成してなることを特徴とする請求項８記載のランドセル。
【請求項１０】
前記機器収納部（２０）を構成する圧着板（２５）と間仕切壁部（８）は、軽量で丈夫な不織布板からなる芯板（８ａ、２５ａ）の互いに対向する面に衝撃を吸収緩和するスポンジ、ウレタンなどの発泡合成樹脂材からなる緩衝部（８ｂ、２５ｂ）を重合し、該緩衝部と前記芯板（８ａ、２５ａ）の両面に合成皮革地からなる表皮部（８ｃ、２５ｃ）をそれぞれ重合してなることを特徴とする請求項７記載のランドセル。
【請求項１１】
前記機器収納部（２０）の圧着板（２５）を保持する伸縮ベルト（２７ａ）は、ベルトの長さをやや長くして間仕切壁部（８）と圧着板（２５）との間にマチ幅スペース（Ｚ）を設けてなることを特徴とする請求項６記載のランドセル。
【考案の詳細な説明】
【技術分野】
【０００１】
本考案は、学童用ランドセルの改良に関する。
【背景技術】
【０００２】
従来、学童用ランドセルは、皮革または合成皮革などにより形成したランドセル本体と、該ランドセル本体に被せる蓋板と、ランドセル本体を背負う背負いベルトとからなり、前記ランドセル本体は、教科書やノートを収納する主収納室と各種教材を収容する副収容室と小物などを収容する前ポケット部を取付けて形成してある。
【０００３】
ランドセルの主収容室は、昨今、学校で渡されるプリントやお知らせなどがＡ４版で印刷されており、その印刷物はクリアファイルに収容されて渡される場合が多い。そのため、ランドセルの主収容室はＡ４版のクリアファイルが曲がらずに収容することができるように幅が広く形成されている。
【０００４】
一方、近年は情報技術の進化により、教育現場においても文部科学省の新学習要領に示すごとく、２０２０年から情報教育・ＩＣＴ活用教育が行われることとなった。そのため、学童は日常的にノートパソコンまたはタブレット型端末などのディスプレイパネルを備えた電子機器を使用して授業を受けることとなる。そのため、学童は前記電子機器を登下校時にランドセルに収納して持ち運ばなければならない。
【０００５】
そのため、ランドセルには前記電子機器を収納するための収納スペースが必要となり、その収納スペースとして、電子機器を収容する袋状に形成した収容体を主収容室内で、副収容室側に取付けると共に、前記収容体にホックなどからなる着脱部を設け、該着脱部と主収容室の上方に設けたホックなどからなる着脱部とを連結可能に取付けて使用するものが広く知られている（特許文献１）。
【０００６】
または、副収納部内に前記電子機器を収納すると共に、電子機器のパネル側にスエード面を有し、上面に電子機器を出し入れする開口部を有した形成体を設けたことを特徴とするランドセルも広く知られている（特許文献２）。
【先行技術文献】
【特許文献】
【０００７】
【特許文献１】実用第３２１０９３９号
【特許文献２】実用第３１８０９５４号
【０００８】
しかしながら、文献１は電子機器を収容する収容体を主収容室内の副収容室側に取付けると共に、前記収容体に着脱部を設け、該着脱部と主収容室の上方に設けた着脱部とを連結可能に取付けてあるだけであるため収容体が移動しやすく、重量（５００ｇ以上）がある電子機器を安全に収容することができない。また、収容体はホックで止めてあるだけであるため、ランドセルを背負う学童は所作が乱暴であるため収容体が揺れて外れる恐れがある。さらには、文献２のごとく、電子機器を収納する形成体は、開口部が解放したままであるため、登下校中の学童が遊びや悪戯でランドセルがひっくりかえる場合があり、また、収納されている電子機器が形成体内を移動したり、開口部から脱落したりするおそれがあり、電子機器の破損や故障の原因となるおそれがあるなどの問題点を有している。
【考案の概要】
【考案が解決しようとする課題】
【０００９】
そこで、本考案は、教材として使用する高価な電子機器が多様化していることからその大きさも多種多様である。そこで、ランドセルに収容可能な大きさの電子機器であるならば大きさに関係なく収納することができ、且つ、ランドセルの揺動や衝撃を受けても安定して電子機器を収納保持することができ、また、製作工程が容易で軽量で安価な機器収納部をランドセルの主収容室または副収容室に取付けることにより、学童の乱暴な所作や外部からの強い衝撃で、収納した電子機器が破損または故障するのを防止し、また、電子機器を安定して収納することにより、登下校時にランドセルを背負う学童の疲労を少なくすると共に、前記電子機器を授業で安心して使用することができることを課題とするものである。
【課題を解決するための手段】
【００１０】
本考案は、教科書、ノートなどの各種教材を収容する主収容室３と副収容室７と前ポケット部１１を有するランドセル本体２と、該ランドセル本体の上部を開閉可能に覆う蓋板１３とからなるランドセル１において、前記主収容室３または副収容室７、７ａ、７ｂに電子機器Ｘを出し入れ可能に圧着保持する機器収納部２０を設けてなることを特徴とする。また、前記ランドセル１の主収容室３内の背板４側に電子機器Ｘを出し入れ可能に圧着保持する機器収納部２０を設けてなることを特徴とする。さらには、前記ランドセル（１）は、副収容室７、７ａ、７ｂ内の間仕切壁部８側に電子機器Ｘを出し入れ可能に圧着保持する機器収納部２０を設けてなることを特徴とする。さらにはまた、前記副収容室７ａ、７ｂは、収納物の量によりマチ幅を伸縮させる拡幅機能Ｓａ、Ｓｂを有してなり、副収容室７ａに設けた拡幅機構Ｓａは、つづら折に形成した少なくとも１以上の折目からなる伸縮可能なマチ部４１を設け、該副収容室の間仕切壁部８側に電子機器Ｘを出し入れ可能に圧着保持する機器収納部２０を設けてなることを特徴とする。また、前記副収容室７ｂに設けた拡幅機構Ｓｂは、伸縮可能なひだ部を有した内側マチ部５１の外側で主収容室３側と前ポケット部１１側にそれぞれ一端を取付けた外側マチ部５２ａ、５２ｂの他端に互いに分離連結可能なスライドファスナー５５ａ、５５ｂをそれぞれ取付け、該スライドファスナー５５ａ、５５ｂを連結分離させることにより、マチ幅を拡幅可能にしてなり、この副収容室７ｂの間仕切壁部８側に電子機器Ｘを出し入れ可能に圧着保持する機器収納部２０を取付けてなることを特徴とする。さらには、前記機器収納部２０は、収納した電子機器Ｘを圧着保持する圧着板２５と、収納した電子機器Ｘを圧着板２５により圧着保持させる伸縮可能な伸縮ベルト２７と、前記機器収納部２０の開口部２４を開閉可能に覆う蓋布地３０とからなることを特徴とする。さらにはまた、前記圧着板２５は、間仕切壁部８の上下左右幅より小さく方形に形成し、該圧着板の下端を前記副収容室７、７ａ、７ｂの内底部から離して位置させ、この圧着板２５の左右両端と上下の４点を伸縮ベルト２７の一端で取付けて支持し、他端を副収容室７、７ａ、７ｂと間仕切壁部８の接合部分に縫着固定して前記圧着板２５を中空状態に支持することにより、前記圧着板２５を伸縮ベルト２７の弾発力で間仕切壁部８側に圧着可能にしてなることを特徴とする。また、前記蓋布地３０は、前記圧着板２５の横幅（開口部幅）の約三分の二の幅に形成し、一辺を機器収納部２０の開口部２４付近の間仕切壁部８に取付け、他辺は開口部２４を覆って圧着板２５の前側壁面に設けた接着部３５に着脱可能に取付けてなることを特徴とする。さらには、前記接着部３５は、雌雄一対型の面ファスナからなり、一方３５ｂを圧着板２５の前側壁面の幅方向に取付け、他方３５ａを蓋布地３０の裏側先端幅方向に取付けて互いに着脱可能に形成してなることを特徴とする。さらにはまた、前記機器収納部２０を構成する圧着板２５と間仕切壁部８は、軽量で丈夫な不織布板からなる芯板８ａ、２５ａの互いに対向する面に衝撃を吸収緩和するスポンジ、ウレタンなどの発泡合成樹脂材からなる緩衝部８ｂ、２５ｂを重合し、該緩衝部と前記芯板８ａ、２５ａの両面に合成皮革地からなる表皮部８ｃ、２５ｃをそれぞれ重合してなることを特徴とする。また、前記機器収納部２０の圧着板２５を保持する伸縮ベルト２７ａは、ベルトの長さをやや長くして間仕切壁８と圧着板２５との間にマチ幅スペースＺを設けてなることを特徴とする。
【００１１】
したがって、主収容室３または副収容室７、７ａ、７ｂ内に電子機器Ｘを出し入れ可能に収納する簡便で軽量な機器収納部２０を設けたことにより、ランドセルの軽量化と電子機器を安全に収納することができる。また、機器収納部２０は、収納した電子機器Ｘを常に圧着保持する圧着板２５と、収納した電子機器Ｘを圧着板２５により圧着保持させる伸縮可能な伸縮ベルト２７と、前記機器収納部２０の開口部２４を開閉可能に覆う蓋布地３０との３点からなり、構造が簡単で安価に製作することができ経済的である。さらには、前記圧着板２５は下端を副収容室７、７ａ、７ｂの内底面から離して伸縮ベルトで４点支持して中空状態に取付けてあるため、収納する電子機器Ｘの幅に合わせて圧着板２５を前後動させることができるので、常に電子機器Ｘ全体を圧着して保持することができ、ランドセルが揺動しても機器収納部２０内の電子機器Ｘが揺動したり移動することを防止することができる。さらにはまた、蓋布地３０の横幅を機器収納部２０に設けた開口部２４幅の約三分の二の幅に形成したことにより握力の弱い低学年の学童でも容易に蓋布地３０を剥離開閉することができる。また、機器収納室２０は、間仕切壁板８と圧着板２５を軽量で丈夫な不織布板からなる芯板８ａ、２５ａのそれぞれ対向する面に外部からの衝撃を吸収緩和する緩衝部８ｂ、２５ｂと表皮部８ｃ、２５ｃを重合して強固に形成したことにより、外部から衝撃、特に主収容室３側と前ポケット部１１側からの衝撃を吸収緩和することができ、電子機器Ｘの破損や不具合などの故障を防止することができる。
【図面の簡単な説明】
【００１２】
【図１】蓋板を開けた状態のランドセルの斜視図である。
【図２】ランドセル本体の側面図である。
【図３】図２のＡ―Ａ線断面図である。
【図４】機器収納部の拡大断面図である。
【図５】電子機器を収納した図３のＢ―Ｂ断面図である。
【図６】図５の一点鎖線丸部分拡大断面図である。
【図７】機器収納部の圧着板に取付けた雌接着部の第２実施例を示す正面図である。
【図８】機器収納部の第２実施例を示す平面図である。
【図９】機器収納部をランドセルの主収容室に設けた実施例を示す側面図である。
【図１０】ランドセルの副収容室の第２実施例を示す側面図である。
【図１１】ランドセルの副収容室の第３実施例を示す側面図である。
【考案を実施するための形態】
【００１３】
本考案の実施の形態を図面に基づいて説明すると、図１は蓋板を開けた状態のランドセルの斜視図、図２はランドセル本体の側面図、図３は図２のＡ―Ａ線断面図、図４は機器収納部の拡大断面図、図５は電子機器を収納した図３のＢ―Ｂ断面図、図６は図５の丸一点鎖線部分の拡大断面図である。ランドセル１は、皮革または合成皮革などで形成したランドセル本体２と、ランドセル本体２の上部に開口部分全体を覆う蓋板１３と、ランドセル１を学童が背負う背負いベルト（図示せず）により構成されている。
【００１４】
ランドセル本体２は、図１に示すごとく、教科書やノートまたは筆箱など教材をそれぞれ分けて収容するもので、上方を開口した主収容室３と、その他の学習用具などを入れる上方を開口した副収容室７と、上面をジッパーで開閉可能に形成した袋状の前ポケット部１１を連続して設けてある。
【００１５】
前記副収容室７は、内部の間仕切壁部８側に電子機器Ｘを出し入れ可能に収納する機器収納部２０を設けてある。前記副収容室７は、マチ幅が伸縮しない通常型の副収容室７や収納物の量によりマチ幅を前後動させる伸縮可能にした拡幅機構Ｓａ、Ｓｂを有した副収容室７ａ、７ｂを有したランドセル１を使用してもよい。
【００１６】
前記副収容室７ａは、図１０に示すごとく、マチ部分をツズラ折に折り曲げて形成した少なくとも１以上の折目部４１からなる拡幅機構Ｓａを有した副収容室で、主収容室３側に電子機器Ｘなどを出し入れ可能に収納する機器収納部２０を設けてある。
【００１７】
また、副収容室７ｂは、図１１に示すごとく、マチ部分の内側にひだ状に形成した伸縮可能な内側マチ部５１を設け、該内側マチ部の外側で主収容室３側と前ポケット部１１側にそれぞれ一端を取付けた外側マチ部５２ａ、５２ｂの他端に分離連結可能なスライドファスナー５５ａ、５５ｂの一片を取付け、該スライドファスナー５５ａ、５５ｂを互いに歯合連結分離させる拡幅機構Ｓｂを設けてある。この拡幅機構Ｓｂを有した副収容室７ｂ内の主収容室３側に電子機器Ｘなどを出し入れ可能に収納する機器収納部２０を設けてある。
【００１８】
前記機器収納部２０は、収納した電子機器Ｘを圧着保持する圧着板２５と、収納した電子機器Ｘを圧着板２５により圧着保持させる伸縮可能な伸縮ベルト２７と、前記機器収納部２０の開口部２４を開閉可能に覆う蓋布地３０との少数部品（３点）により構成してある。
【００１９】
前記圧着板２５は、間仕切壁部８の上下左右幅より小さく方形に形成し、該圧着板の下端は、前記副収容室７、７ａ、７ｂの内底部から離して中空状態に取付ける。圧着板２５の下端と内底面との距離は少なくとも２ｍｍから１０ｍｍ、好ましくは、５ｍｍ程度離して位置させ、この圧着板２５の左右両端の上下の４点を伸縮ベルト２７の一端で支持し、他端を副収容室７、７ａ、７ｂと間仕切壁部８との接合部分に縫着固定して前記圧着板２５を伸縮ベルト２７の弾発力で間仕切壁部８側に常に圧着可能にしてある。
【００２０】
前記機器収納部２０の開口部２４には、内部に収容した電子機器Ｘの脱落を防止する蓋布地３０を開閉可能に取付けてある。この蓋布地３０は、軽量で丈夫なナイロンまたはポリエステルなどの合成繊維生地材からなり、前記機器収納部２０の開口部２４全体を覆うのではなく、開口部幅の約三分の二の幅を覆う長さに形成してある。
【００２１】
この蓋布地３０に取付けた接着部３５は、周知の接着部材で合成繊維生地材からなる軽量で縫着が容易な雌雄一対型の面ファスナを使用し、前記した圧着板２５の前側壁面幅方向に雌接着部３５ｂを取付け、蓋布地３０の裏側先端幅方向全体に雄接着部３５ａを取付けて着脱可能に形成してある。
【００２２】
前記蓋布地３０の横幅を開口部２４幅の約三分の二の幅に短く形成したことにより、該蓋布地の先端幅方向に取付けた雄接着部３５ａと圧着板２５の前側壁面に設けた雌接着部３５ｂとの接着力を、収容した電子機器Ｘが衝撃で移動した際の衝撃力で蓋布地３０の接着部３５が剥離するのを防止する接着力は有するが、握力の弱い低学年の学童の力でも容易に剥離させて開閉することができる接着力に形成してある。
【００２３】
図７は、接着部３５の第２実施例で、圧着板２５の前側壁面に設けた雌接着部３５ｂを上下二段に取付けてある。収容する電子機器Ｘの厚さにより、機器収納部２０の開口部２４の開きが相違することから該開口部を覆う蓋布地３０の被せの深さを調整可能に形成してある。
【００２４】
前記機器収納部２０を構成する圧着板２５と副収容室７の間仕切壁部８は、軽量で丈夫な不織布板からなる芯板８ａ、２５ａの機器収納部２０側に衝撃を吸収緩和するスポンジ、ウレタンなどの発泡合成樹脂材からなる緩衝部８ｂ、２５ｂと、合成皮革地からなる表皮部８ｃ、２５ｃをそれぞれ重合して形成したことにより、ランドセルの軽量化とコストの軽減および電子機器の故障や傷つきを防止している。主収容室３を構成する背板４は、前記圧着板２５または間仕切壁部８と同様な構成に形成してあるため、説明が重複するので説明を省略する。
【００２５】
前記圧着板２５を伸縮可能に保持する伸縮ベルト２７は、帯状に形成したゴムバンドからなり、該伸縮ベルトの一端を前記圧着板２５の左右両端で上下の４点を連結支持し、他端を副収容室７と間仕切壁部８との接合部分に縫着固定し、前記圧着板２５を中空状態にして伸縮ベルト２７の弾発力で間仕切壁部８側に常に引き寄せる圧着力を作用させてある。
【００２６】
したがって、圧着板２５は、前記したごとく、下端を副収容室７の内底面から離し、左右端は伸縮ベルトで連結されているだけで中空状態にしてあるため、収納する電子機器の幅（厚み）に合わせて圧着板全体を平行方向に前後動させることができ、且つ、電子機器Ｘ全体を常に同じ力で圧着して保持する。そのため、ランドセルの揺動や外部からの衝撃があっても電子機器Ｘ全体を常に同じ力で圧着して保持しているため機器収納部２０内を電子機器Ｘが左右に移動したり前後方向に揺れる恐れがなく安全に保持することができる。
【００２７】
図８は、伸縮ベルトの第２実施例で、圧着板２５を常に緊張させて取付けるだけでなく、ベルトの長さを長くした長尺伸縮ベルト２７ａを使用して間仕切壁部８と圧着板２５との間にマチ幅スペースＺを設けて形成してある。この機器収納部２０にマチ幅スペースＺを設けたことにより、幅の厚い電子機器や小袋に収納した状態の電子機器など幅が厚い電子機器Ｘでも機器収納部２０ａに収納することができ便利である。
【００２８】
さらには、前記機器収納部２０は、ランドセルの副収容室７、７ａ、７ｂだけでなく、図９に示すごとく、主収容室３の背板４側に取付けることもできる。この主収容室３に機器収納部２０を取付ける場合、圧着板２５の下端と内底面との距離は１０ｍｍから３０ｍｍ、好ましくは２０ｍｍにしてある。電子機器Ｘは、重量が５００ｇ以上と重く、ランドセルの重心を背板側に移動させて背負うことにより、通学時にランドセルを背負う学童の負担を軽減することができ、また、圧着板２５で電子機器Ｘを常に押圧しているため、ランドセルの揺動や外部からの衝撃を受けても電子機器Ｘが移動しないため電子機器Ｘの破損を防止することができる。
【００２９】
本考案に係る実施の形態の作用について説明すると、電子機器Ｘを出し入れ可能に収納する機器収納部２０は、収納した電子機器Ｘを圧着保持する圧着板２５と、収納した電子機器Ｘを圧着保持させる伸縮可能な伸縮ベルト２７と、前記機器収納部２０の開口部２４を開閉可能に覆う蓋布地３０との少数部品により構成し、ランドセル本体２を構成する主収容室３または各種形状をした副収容室７、７ａ、７ｂ内に取付け可能に形成してある。前記機器収納部２０は、圧着板２５と伸縮ベルト２７と蓋布地３０との３点のみからなり、製造工程が容易であることからコストの軽減とランドセルの軽量化を図ることができる。
【００３０】
機器収納部２０を副収容室７、７ａ、７ｂ内の間仕切壁部８側に取付けてランドセル１全体の約中央に位置させることにより、ランドセル１の前後方向からの強い衝撃力が直接機器収納部２０内に伝わるのを防止し、内部に収納した電子機器Ｘの故障や破損を防止することができる。
【００３１】
前記機器収納部２０は、各収容室内で中空状態の圧着板２５の左右両端の上下の四点に一端を支持した伸縮ベルト２７の他端を間仕切壁部８とマチ部の隅に同じく四点支持して取付けることにより、中空状態の圧着板２５を伸縮ベルト２７の弾発力で間仕切壁部８側に常に圧着力を作用させることができる。
【００３２】
したがって、機器収納部２０に収納する電子機器Ｘの厚さに合わせて圧着板２５全体を電子機器と平行に前後動させることができるので、電子機器Ｘ全体を常に同じ力で圧着して保持することができる。そのため、ランドセルの揺動や外部からの衝撃があっても電子機器Ｘ全体を常に同じ力で圧着して保持するため、ランドセルの揺動で機器収納部２０内を電子機器Ｘが左右に移動したり、前後方向に揺れる恐れがなく安定して保持することができる。
【００３３】
また、機器収納部２０は図８に示すごとく、長尺伸縮ベルト２７ａを取付けて圧着板２５の緊張状態を緩め、間仕切壁部８と圧着板２５との間にマチ幅スペースＺを設けたことにより、幅の厚い電子機器や小袋に収納した状態の電子機器など幅がかさばる電子機器をそのまま収納することができ便利である。
【００３４】
さらには、機器収納部２０の開口部２４に開閉可能に取付けた蓋布地３０は、該蓋布地の幅を開口部幅より狭い幅（約三分の二）に形成したことにより、この蓋布地３０の先端幅方向全体に取付けた接着部３５の接着力を学童の登下校中の遊びや悪戯でランドセル１０をひっくりかえしても蓋布地３０が外れることがない接着力を有するが、握力の弱い低学年の学童でも接着部３５を容易に剥離して開閉することができる接着力にしてある。
【００３５】
さらにはまた、前記機器収納部２０を主収容室３内の背板４側に取付けることもできる。電子機器Ｘは、重量が５００ｇ以上と重く、ランドセルの重心を背板側に移動させて背負うことにより、通学時にランドセルを背負う学童の負担を軽減することができ、また、圧着板２５で電子機器Ｘを常に押圧しているため、ランドセルの揺動や外部からの衝撃を受けても電子機器Ｘが移動しないため電子機器Ｘの破損を防止することができる。
【００３６】
前記機器収納部２０を構成する圧着板２５と副収容室７の間仕切壁部８は、それぞれ軽量で丈夫な不織布板からなる芯板８ａ、２５ａの機器収納部２０側に衝撃を吸収緩和するスポンジ、ウレタンなどの発泡合成樹脂材からなる緩衝部８ｂ、２５ｂと、合成皮革地からなる表皮部８ｃ、２５ｃをそれぞれ重合して形成したことにより、ランドセルの軽量化とコストの軽減を図ると共に、外部からの衝撃が電子機器Ｘに直接衝撃が伝わるのを防止することができるので電子機器Ｘを十分に保護することができる。
【００３７】
前記機器収納部２０は、前記したごとく、ランドセル１の副収容室７、７ａ、７ｂだけでなく、主収容室３にも簡単に取付けることができるため、ランドセル１を乱暴に取り扱う学童の登下校中の遊びや悪戯による外部からの衝撃で電子機器が上下左右に揺動するのを防止して衝撃に弱い電子機器Ｘの破損や不具合などの故障を防止することができ、学童一人一人に貸与する高価な電子機器Ｘの故障を防止することができるので大変経済的である。
【符号の説明】
【００３８】
１      ランドセル
２      ランドセル本体
３      主収容室
４      背板壁部
７      副収容室
７ａ    副収容室
７ｂ    副収容室
８      間仕切壁部
８ａ    芯板
８ｂ    緩衝部
８ｃ    表皮部
１０    マチ部
１１    前ポケット部
１３    蓋板
２０    機器収納部
２４    開口部
２５    圧着板
２５ａ  芯板
２５ｂ  緩衝部
２５ｃ  表皮部
２７    伸縮ベルト
３０    蓋布地
３５    接着部
３５ａ  雌接着部
３５ｂ  雄接着部
Ｓａ    拡幅機構
４１    マチ部
５１    内側マチ部
５２    外側マチ部
５５    スライドファスナー
Ｓａ    拡幅機構
Ｓｂ    拡幅機構
Ｘ      電子機器
Ｚ      マチ幅スペース
【図１】
0003230755.tif 000003
【図２】
0003230755.tif 000004
【図３】
0003230755.tif 000005
【図４】
0003230755.tif 000006
【図５】
0003230755.tif 000007
【図６】
0003230755.tif 000008
【図７】
0003230755.tif 000009
【図８】
0003230755.tif 000010
【図９】
0003230755.tif 000011
【図１０】
0003230755.tif 000012
【図１１】
0003230755.tif 000013
【手続補正書】
【提出日】令和2年12月11日(2020.12.11)
【手続補正１】
【補正対象書類名】実用新案登録請求の範囲
【補正対象項目名】請求項１
【補正方法】変更
【補正の内容】
【請求項１】
教科書、ノートなどの各種教材を収容する主収容室（３）と副収容室（７、７ａ、７ｂ）と前ポケット部（１１）を有するランドセル本体（２）と、該ランドセル本体の上部を開閉可能に覆う蓋板（１３）とからなるランドセル（１）において、前記主収容室（３）または副収容室（７、７ａ、７ｂ）に電子機器（Ｘ）を出し入れ可能に圧着保持する機器収納部（２０）を設けてなることを特徴とするランドセル。
以上